(57)【特許請求の範囲】
【請求項１】
基材の屋外側面に組付け材を突設し、該組付け材の、屋外側面側開口の受入間隙を存して相対する一対の組付け部片に、互いに相対向する案内溝を設け、該案内溝に両端を移動可能に摺嵌して前記組付け部片に組付けるスライダーに、大径部と該大径部に連通する小径部とから成る長孔を設け、この長孔の前記大径部を通じて前記受入間隙に挿入する突子を、前記基材の屋外側に重合する外装パネルの屋内側面に突設し、該突子の中間部に前記小径部に係合する頸部を設けると共に、頸部部が前記基材又は前記外装パネルに設けた受圧片に係止する操作螺子を螺合するナット片を、前記スライダーの、前記長孔の前記大径部側の端部に設けた、外壁材における基材と外装パネルの組付け装置。
【発明の詳細な説明】
【０００１】
【産業上の利用分野】
本発明は建物の外壁、例えばカーテンウォールに用いる外壁材を構成する基材と外装パネルの組付け装置に関するものである。
【０００２】
【従来の技術】
コンクリート等から成る基材に、タイルや石材などの外装パネルを組付けた構造の外壁材が用いられるようになっている。また、金属製の外装パネルも外壁材として用いられるようになっているが、外装パネルと基材は熱膨張率が異なり、従って、両者を単に貼り合わせた組付け手段を用いると、熱膨張によって両者間に歪が生じて外壁材の外装パネルとして有るべき外観が損なわれる場合がある。
【０００３】
このため特開平７−３３１７７９号公報所載の通り、基材と外装パネルの熱膨張の差を吸収して前記歪の発生を除去しようとした組付け手段が提案されている。
【０００４】
しかしながら、従来の組付け手段を用いた外壁材は、外装パネルと基材とは互いに一体的に組付けられており、分離できない構造のため、建物の外壁を装飾する外装パネルの表面に、現場への運搬時或いは建物への建込み時等に損傷を受けても交換できず支障を来たしており、外装パネルの表面に損傷を与えないよう格別な注意を必要としている。
【０００５】
本発明は斯様な常況に鑑み創案したものである。
【０００６】
【課題を解決するための手段】
基材の屋外側面に組付け材を突設し、該組付け材の、屋外側面側開口の受入間隙を存して相対する一対の組付け部片に、互いに相対向する案内溝を設け、該案内溝に両端を移動可能に摺嵌して前記組付け部片に組付けるスライダーに、大径部と該大径部に連通する小径部とから成る長孔を設け、この長孔の前記大径部を通じて前記受入間隙に挿入する突子を、前記基材の屋外側に重合する外装パネルの屋内側面に突設し、該突子の中間部に前記小径部に係合する頸部を設けると共に、頸部が前記基材又は前記外装パネルに設けた受圧片に係止する操作螺子を螺合するナット片を、前記スライダーの、前記長孔の前記大径部側の端部に設けた構成とする。
【０００７】
【実施例】
図面は本発明に係わる外壁材における基材と外装パネルの組付け装置の実施例を示し、図１は一部欠截拡大正面図、図２は図１のＸ−Ｘ線断面図、図３は図１のＹ−Ｙ線断面図、図４は外壁材の正面図、図５は第二実施例の断面図である。
【０００８】
本発明に係わる外壁材Ａは、基材１と外装パネル２を両者間に形成した空隙３に充填した断熱材４を介して互いに組付けて構成したもので、基材１と外装パネル２は、基材１の屋外側面に突設した組付け材５を介して互いに組付けたものである。
【０００９】
組付け材５は前記基材１の屋外側面に図４で示す通り複数個を一組として複数列にして並べて突設したもので、屋外側面側開口の受入間隙６を存して相対する一対の組付け部片５ａ、５ａを備え（中央部片５ｂの両端に一対の組付け部片５ａ、５ａを相対設して、組付け部片５ａ、５ａ間を受入間隙６とする断面溝形状体で組付け材５を構成し）、該組付け片５ａ、５ａのそれぞれには互いに相対向する案内溝７、７を設けてある。
【００１０】
各列を構成する一群（実施例は５個）の各組付け材５、……は、この案内溝７を互いに同方向に位置するようにして前記基材１に並設されており、一群の組付け材５、５、５、５、５には案内溝７に両端を移動可能に摺嵌してスライダー８をわたして組付けてある。
【００１１】
スライダー８は前記一群の組付け材５、５、５、５、５の数に対応する長孔９を備え、長孔９は、大径部９ａと該大径部９ａに連通する小径部９ｂとで成り、大径部９ａ側を、スライダー８の長手方向の一端に設けたナット片１０側に存するように配し、ナット片１０はスライダー８に螺子１１で止着した取付け部片１０ｂと該取付け部片１０ｂに直角方向に連設した螺子部片１０ａとで成り、螺子部片１０ａに操作螺子１２を螺合した螺子孔２３を設けたものである。
【００１２】
図中１３は、前記長孔９の大径部９ａを通じて前記受入間隙６に挿入した突子で、突子１３は、前記組付け材５（乃至長孔９）に対応するようにして前記外装パネル２の屋内側面に突設した螺子杆に一対のナットを螺合して、径が長孔９の大径部９ａより小さく、小径部９ｂより大きい大径部１３ａ、１３ａと成し、該大径部１３ａ、１３ａ間を長孔９の小径部９ｂより径の小さい頸部１３ｂとしたもので、この突子１３の頸部１３ｂに長孔９の小径部９ｂを係合するようにして突子１３をスライダー８を介して前記組付け材５に組付けてあり、すなわち、外装パネル２と基材１は互いに組付けてあり、該組付け状態は、前記外装パネル２端部側の屋内側面に組付けたスペーサ枠１４に組付けた受圧片１５にその頭部１２ａを係止させて前記螺子孔２３に螺合した前記操作螺子１２によって維持する。
【００１３】
しかして、スライダー８を基材１側に突設した組付け材５の組付け部片５ａ、５ａに設けた案内溝７に両端を移動自在に係合するようにして列設した組付け材５、５、５、５、５間にわたして組付け、組付け材５に対応する突子１３および周端においてスペーサ枠１４、１４´を固着した外装パネル２の前記突子１３を、対応する組付け材５位置に存する長孔大径部９ａを通じて受入間隙６内に挿入し、列設した一群の組付け材５、５、５、５、５の外装パネル１端部側にスペーサ枠１４に設けた透孔１６を通じて該スペーサ枠１４に組付けた受圧片１５に操作螺子１２を貫通させ、操作螺子１２の先端をナット片１０の螺子片１０ａの螺子孔２３に螺合させ締め付けるようにして前記透孔１６を通じて基材１と外装パネル２間に挿入した工具によって操作螺子１２を回動操作すると、スライダー８は前記スペーサ枠１４方向に引張られ、この結果、長孔９の小径部９ｂが移動して突子１３の頸部１３ｂに係合して（操作螺子１２の操作はスライダー８毎に行なうことは勿論）基材１と外装パネル２は互いに組付けられ外壁材Ａを得られる。
【００１４】
前記の断熱材４は基材１に外装パネル２を組付ける前に基材１側若しく外装パネル２側に固定しておくと良い。
【００１５】
図５で示す第二実施例のものは、第一実施例のものが、受圧片１５を外装パネル２に固定したスペーサ枠１４に組付けたものであるに対し、基材１側に固定したもので、残余の点は符号を同じくして示すように第一実施例と同様なので説明は省略する。
【００１６】
なお、躯体（建物）側に取付けた（固定した）基材１に外装パネル２を組付けるようにしても良いことは勿論である。
【００１７】
また、実施例の組付け材５は、基材１側に固定したアンカー材１７を介して基材１に突設してあり、アンカー材１７に屋内側から抜け止め片１８、すべり材１９、支持片２０、すべり材１９´（断熱片２１をすべり易い樹脂素材にすることにより省略しても良い）および断熱片２１を順次重合させ、これらに屋内側の抜け止め片１８側から貫通させるようにして組付けボルト２２を組合わせ該組付けボルト２２の先端を組付け材５の中央部片５ｂに螺合してこれらを互いに組付け、アンカー材１７の支持片２０を介して前記基材１に突設し、また、前記支持片２０に設けた窓孔２４には弾性片２５を嵌合し、この弾性片２５の中央に前記組付けボルト２２を貫通させることにより、組付けボルト２２は窓孔２４内を面内方向に変位可能となる。
【００１８】
すなわち、実施例の組付け材５を前記の通りの関係によって基材１と外装パネル２間に介在するようにすると、該組付け材５は操作螺子１２の操作によるスライダー８の移動によって外装パネル２側に固定され、かつ、該組付け材５に螺合した組付けボルト２２は基材１側に固定した支持片２０の窓孔２４を面内方向に変位可能に貫通し、抜け止め片１８を介して支持片２０に係止させてあるので、基材１と外装パネル２の熱膨張率の差によって歪を生じようとしても、組付けボルト２２が窓孔２４の面内方向に移動する分該熱膨張差を吸収して少くもそれを防止することができる。
【００１９】
【発明の効果】
本発明は前記の通りの構成であるから、基材に対して外装パネルの交換組付けを行なうことができ、外装パネルが損傷を受けたときなどに好適な外壁材を提供できる。
【図面の簡単な説明】
【図１】一部欠截拡大正面図。
【図２】図１のＸ−Ｘ線断面図。
【図３】図１のＹ−Ｙ線断面図。
【図４】外壁材の正面図。
【図５】第二実施例の断面図。
【符号の説明】
１      基材
２      外装パネル
５      組付け材
５ａ    組付け部片
６      受入間隙
７      案内溝
８      スライダー
９      長孔
９ａ    大径部
９ｂ    小径部
１０    ナット片
１１    操作螺子
１３    突子
１３ａ  頸部
１５    受圧片
【図１】
0003934765.tif 000002
【図２】
0003934765.tif 000003
【図３】
0003934765.tif 000004
【図４】
0003934765.tif 000005
【図５】
0003934765.tif 000006